(57)【要約】      （修正有）【課題】畑の畝への虫の飛来と種子の落下を防止する。【解決手段】畑の畝３上に、畝３の長さ方向に沿って植え付けられている１又は複数条の作物への虫の飛来及び畝３上への種子の落下を防止する、畑の有害物防止システムであって、畝３の長さ方向と並列に配置される２列の空気管６であって、各空気管６に空気管６の長さ方向に沿って複数の空気の噴出口が形成されている、２列の空気管６と、空気管６に空気を供給するコンプレッサーと、を備えており、空気管６が、噴出口から空気を上方向に噴出するように、構成されている。【選択図】図２
2011250761.tif 000002
【特許請求の範囲】
【請求項１】
畑の畝上に、該畝の長さ方向に沿って植え付けられている１又は複数条の作物への虫の飛来及び前記畝上への種子の落下を防止する、畑の有害物防止方法であって、
前記畝に植え付けられている前記作物の全体の上方且つ前記畝の上面を平面視において覆う領域に上方向の合流ガス流が発生するように、前記畝の長さ方向と並列に配置される１又は複数の噴出領域からガスを、上方向に噴出する、
畑の有害物防止方法。
【請求項２】
前記噴出領域が、前記畝の長さ方向に直交する幅方向において、前記作物全体の両側にそれぞれ設けられている、
請求項１に記載の、畑の有害物防止方法。
【請求項３】
前記噴出領域が、前記畝の長さ方向に直交する幅方向において、前記畝の上面の中央部に設けられている、
請求項１に記載の、畑の有害物防止方法。
【請求項４】
前記噴出領域から前記ガスを間欠的に噴出する、
請求項１〜３のいずれか１つに記載の、畑の有害物防止方法。
【請求項５】
前記噴出領域が、前記畝の長さ方向と並列に配置される１又は複数列のガス管に、該ガス管の長さ方向に沿って形成される、１又は複数のガスの噴出口である、
請求項１〜４のいずれか１つに記載の、畑の有害物防止方法。
【請求項６】
畑の畝上に、該畝の長さ方向に沿って植え付けられている１又は複数条の作物への虫の飛来及び前記畝上への種子の落下を防止する、畑の有害物防止システムであって、
前記畝の長さ方向と並列に配置される１又は複数列のガス管であって、各ガス管に該ガス管の長さ方向に沿って１又は複数のガスの噴出口が形成されている、１又は複数列のガス管と、
前記ガス管にガスを供給するガス供給源と、
を備えており、
前記ガス管が、前記噴出口からガスを上方向に噴出するように、構成されている、
畑の有害物防止システム。
【請求項７】
前記ガス管が、前記畝の長さ方向に直交する幅方向において、前記畝の上面の両端部にそれぞれ設けられている、
請求項１に記載の、畑の有害物防止システム。
【請求項８】
前記ガス管が、前記畝の長さ方向に直交する幅方向において、前記畝の上面の中央部に設けられている、
請求項１に記載の、畑の有害物防止システム。
【請求項９】
前記噴出口から前記ガスが間欠的に噴出されるように、前記ガス供給源の駆動を制御する制御装置を備えている、
請求項６〜８のいずれか１つに記載の、畑の有害物防止システム。
【請求項１０】
前記ガス管の長さ方向に沿って間隔を空けて配置され、且つ前記ガス管を前記畝の上面に対して回転不能に保持する、複数の姿勢保持具を備えている、
請求項１〜３のいずれか１つに記載の、畑の有害物防止システム。
【発明の詳細な説明】
【技術分野】
【０００１】
畑の畝上に、該畝の長さ方向に沿って植え付けられている１又は複数条の作物への虫の飛来及び前記畝上への種子の落下を防止する、畑の有害物防止方法及びシステムに関する。
【背景技術】
【０００２】
従来、畑の畝に植え付けられている作物を虫や雑草から保護するために、農薬を使用することが一般に行われている。一方、近年、無農薬の農作物が注目を集めており、農薬を使用しないで虫や雑草の侵入を防止できる方法やシステムが期待されている。特許文献１には、無農薬により害虫を駆除する方法及びシステムとして、農作物に接近、付着する害虫に圧力水を当てる方法及び装置が開示されている。
【先行技術文献】
【特許文献】
【０００３】
【特許文献１】特開２００５−３１２３６１号公報
【発明の概要】
【発明が解決しようとする課題】
【０００４】
農薬を使用することなく、虫による食害や雑草の繁殖を防止するには、虫が作物に付着することや雑草の種子が畝の上面に落下することを防止する必要がある。また、農薬を使用しなくても、虫や種子の侵入を防止するためのシステムが高コストである場合、農作物の生産において採算が取れなくなる。そこで、本発明は、農薬を使用することなく、しかも比較的安価な設備によって、虫が作物に付着することや雑草の種子が畝の上面に落下することを防止できる方法及びシステムを提供する。
【課題を解決するための手段】
【０００５】
第１発明は、畑の畝上に、該畝の長さ方向に沿って植え付けられている１又は複数条の作物への虫の飛来及び前記畝上への種子の落下を防止する、畑の有害物防止方法であって、前記畝に植え付けられている前記作物の全体の上方且つ前記畝の上面を平面視において覆う領域に上方向の合流ガス流が発生するように、前記畝の長さ方向と並列に配置される１又は複数の噴出領域からガスを、上方向に噴出する、畑の有害物防止方法を提供する。
【０００６】
合流ガス流は、虫又は雑草の種子が畝の上方から畝の上面に飛来することを防止する。また、噴出口から上方に噴出されるガス流は、虫又は雑草の種子が畝を横切るように水平方向に移動することを防止する。このため、第１発明は、虫が作物に付着することや雑草の種子が畝の上面に落下することを防止できる。
【０００７】
第１発明は、好ましくは、構成（ａ）、（ｂ）、（ｃ）、又は（ｄ）を採用できる。
【０００８】
構成（ａ）において、前記噴出領域が、前記畝の長さ方向に直交する幅方向において、前記作物全体の両側にそれぞれ設けられている。
【０００９】
このため、第１発明は、畝に植え付けられている作物を、より確実に保護できる。
【００１０】
構成（ｂ）において、前記噴出領域が、前記畝の長さ方向に直交する幅方向において、前記畝の上面の中央部に設けられている。
【００１１】
このため、第１発明は、虫や雑草の種子を防止するためのコストを低減できる。
【００１２】
構成（ｃ）において、畑の有害物防止方法は、前記噴出領域から前記ガスを間欠的に噴出する。
【００１３】
このため、第１発明は、ガス供給源の駆動に必要なエネルギーを低減しながら、上述の効果を実現できる。
【００１４】
構成（ｄ）において、前記噴出領域が、前記畝の長さ方向と並列に配置される１又は複数列のガス管に、該ガス管の長さ方向に沿って形成される。
【００１５】
このため、第１発明は、安価なコストで容易にガスを噴出するための構成を実現できる。
【００１６】
第２発明は、畑の畝上に、該畝の長さ方向に沿って植え付けられている１又は複数条の作物への虫の飛来及び前記畝上への種子の落下を防止する、畑の有害物防止システムであって、前記畝の長さ方向と並列に配置される１又は複数列のガス管であって、各ガス管に該ガス管の長さ方向に沿って１又は複数のガスの噴出口が形成されている、１又は複数列のガス管と、前記ガス管にガスを供給するガス供給源と、を備えており、前記ガス管が、前記噴出口からガスを上方向に噴出するように、構成されている、畑の有害物防止システムを提供する。
【００１７】
第２発明は、ガス供給源が発生させるガス圧を調整することによって、畝に植え付けられている作物の上方且つ畝の上面を覆う領域に、上方向の合流ガス流を発生させることができる。合流ガス流は、虫又は雑草の種子が畝の上方から畝の上面に飛来することを防止する。また、噴出口から上方に噴出されるガス流は、虫又は雑草の種子が畝を横切るように水平方向に移動することを防止する。このため、第２発明は、虫が作物に付着することや雑草の種子が畝の上面に落下することを防止できる。
【００１８】
第２発明は、好ましくは、構成（ｅ）、（ｆ）、（ｇ）、又は（ｈ）を採用できる。
【００１９】
構成（ｅ）において、前記ガス管が、前記畝の長さ方向に直交する幅方向において、前記畝の上面の両端部にそれぞれ設けられている。
【００２０】
このため、第２発明は、畝に植え付けられている作物を、より確実に保護できる。
【００２１】
構成（ｆ）において、前記ガス管が、前記畝の長さ方向に直交する幅方向において、前記畝の上面の中央部に設けられている。
【００２２】
このため、第２発明は、虫や雑草の種子を防止するためのコストを低減できる。
【００２３】
構成（ｇ）において、畑の有害物防止システムは、前記噴出口から前記ガスが間欠的に噴出されるように、前記ガス供給源の駆動を制御する制御装置を備えている。
【００２４】
このため、第１発明は、ガス供給源の駆動に必要なエネルギーを低減しながら、上述の効果を実現できる。
【００２５】
構成（ｈ）において、畑の有害物防止システムは、前記ガス管の長さ方向に沿って間隔を空けて配置され、且つ前記ガス管を前記畝の上面に対して回転不能に保持する、複数の姿勢保持具を備えている。
【００２６】
構成（ｈ）によれば、ガス管から噴出されるガス流の向きが安定する。この結果、畝の上面を覆う領域に、上方向の合流ガス流が安定的に発生する。このため、第２発明は、虫が作物に付着することや雑草の種子が畝の上面に落下することを、より確実に、防止できる。
【図面の簡単な説明】
【００２７】
【図１】本実施形態の有害物防止システムが適用された畑を示す平面図である。
【図２】１条植えの畝における２列の空気管の配置を示す、畝の長さ方向における畝、作物、及び空気管の断面図である。
【図３】２条植えの畝における１列の空気管の配置を示す、畝の長さ方向における畝、作物、及び空気管の断面図である。
【図４】畝に配置されている空気管を示す平面図である。
【図５】１条植えの畝において、２列の空気管の噴出口から噴出される空気の分布を示す平面図である。
【図６】２条植えの畝において、１列の空気管の噴出口から噴出される空気の分布を示す平面図である。
【図７】空気管の軸方向から見た、空気管及び姿勢保持具を示す図である。
【図８】空気管及び姿勢保持具の平面図である。
【発明を実施するための形態】
【００２８】
（本実施形態の構成）
図１は、本実施形態の有害物防止システム１０が適用された畑を示す平面図である。図１において、通路１と、通路１に沿って配置される４つの畑２とが、示されている。通路１は、例えば、人等が通行するための道路である。各畑２は、矩形に区画された土地である。畑２内には、複数の畝３が形成されている。符号ＤＬ３は、畝３の長さ方向を示している。符号ＤＷ３は、畝３の幅方向を示している。
【００２９】
図１において、有害物防止システム１０は、コンプレッサー（ガス供給源）４、伝達管５、複数の空気管（ガス管）６、及び制御装置７を備えている。コンプレッサー４は、畑２の外側に配置されている。伝達管５は、コンプレッサー４から通路１と平行に延びている。空気管６は、畑２内において、長さ方向ＤＬ３と並列に配置されている。コンプレッサー４は、空気の供給源である。伝達管５は、コンプレッサー４と複数の空気管６とを連結している。このため、コンプレッサー４は、各空気管６に空気を供給できる。制御装置７は、コンプレッサー４の駆動を制御する。
【００３０】
４つの畑２は、２つの畑２Ａと、２つの畑２Ｂとからなっている。畝３に植え付けられる作物の配置が、畑２Ａと畑２Ｂとの間で相違している。作物の配置に応じて、畝３における空気管６の配置も異なっている。畑２Ａにおいて、１つの畝３に対して、２列の空気管６が配置されている。一方、畑２Ｂにおいて、１つの畝３に対して、１列の空気管６が配置されている。
【００３１】
図２は、１条植えの畝３における２列の空気管６の配置を示す、畝の長さ方向ＤＬ３における畝３、作物９Ａ、及び空気管６の断面図である。１条の作物９Ａは、畝３の上面３ａの中央部に植え付けられている。空気管６は、幅方向ＤＷ３において、畝３の上面３ａの両端部に配置されている。空気管６は、作物９Ａとの位置関係において、１条の作物９Ａの幅方向ＤＦ３における両側に位置している。
【００３２】
図３は、２条植えの畝３における１列の空気管６の配置を示す、畝の長さ方向ＤＬ３における畝３、作物９Ｂ、及び空気管６の断面図である。２条の作物９Ｂは、畝３の上面３ａに並列に植え付けられている。空気管６は、幅方向ＤＷ３において、畝３の上面３ａの中央部に配置されている。空気管６は、作物９Ａとの位置関係において、２条の作物９Ｂの間に位置している。
【００３３】
図４は、畝３に配置されている空気管６を示す平面図である。空気管６には、空気管６の長さ方向ＤＬ６に沿って、複数の空気の噴出口（噴出領域）６ａが形成されている。空気管６が畝３に配置されているとき、噴出口６ａが上方に開口するように、空気管６の姿勢が保たれている。また、空気管６が畝３に配置されているとき、空気管６の長さ方向ＤＬ６は畝３の長さ方向ＤＬ３に平行である。
【００３４】
（本実施形態の作動）
有害物防止システム１０の作動を説明する。図１において、コンプレッサー４が駆動すると、コンプレッサー４から空気が伝達管５を介して各空気管６に供給される。この結果、空気管６の噴出口６ａから空気が上方に噴出する。
【００３５】
図２に示されるように、空気管６の噴出口６ａから上方に噴出される空気は、勢い（空気流の圧力）を弱めつつ、徐々に拡散する。図２において、噴出軸６Ｍは、噴出口６ａから噴出される空気流Ｆ６の中心軸を示している。つまり、噴出口６ａから噴出される空気流Ｆ６は、噴出軸６Ｍを中心軸とするコーン状の領域に拡がる。
【００３６】
図５は、１条植えの畝３において、２列の空気管６の噴出口６ａから噴出される空気の分布を示す平面図である。図５に示されるように、各噴出口６ａからコーン状に拡がる空気流Ｆ６は、平面視において円状に拡がる。このため、畝３に配置される２列の空気管６に含まれる全ての噴出口６ａから噴出される空気流Ｆ６は、畝３の上面からの高さＨＡ（図２）において、合流する。この結果、各畝３において、該畝３の上方且つ該畝３の上面３ａの全体を覆う領域ＲＡに、上方向の合流空気流ＦＡが発生する。図２及び図５において、領域ＲＡの幅ＷＲＡは、畝３の上面３ａの幅Ｗ３ａよりも大きい。なお、合流空気流ＦＡの勢いが続く限り、合流空気流ＦＡは領域ＲＡよりも更に水平方向に拡がる。
【００３７】
図６は、２条植えの畝３において、１列の空気管６の噴出口６ａから噴出される空気の分布を示す平面図である。図６に示されるように、各噴出口６ａからコーン状に拡がる空気流Ｆ６は、平面視において円状に拡がる。このため、畝３に配置される１列の空気管６に含まれる全ての噴出口６ａから噴出される空気流Ｆ６は、畝３の上面からの高さＨＢ（図３）において、合流する。この結果、各畝３において、該畝３の上方且つ該畝３の上面３ａの全体を覆う領域ＲＢに、上方向の合流空気流ＦＢが発生する。図２及び図５において、領域ＲＢの幅ＷＲＢは、畝３の上面３ａの幅Ｗ３ａよりも大きい。なお、合流空気流ＦＢの勢いが続く限り、合流空気流ＦＢは領域ＲＡよりも更に水平方向に拡がる。
【００３８】
（本実施形態の作用、効果）
本実施形態は、次の作用、効果を有している。
【００３９】
本実施形態では、空気管６が畝３の長さ方向ＤＬ３と並列に配置され、且つ空気管６の噴出口６ａから上方に空気が噴出される。噴出口６ａから噴出される空気は、上方に移動するにつれて拡散する。このため、本実施形態は、コンプレッサー（ガス供給源）４が発生させる空気圧を調整することによって、畝３に植え付けられている作物（９Ａ又は９Ｂ）の上方且つ畝３の上面３ａを覆う領域（ＲＡ又はＲＢ）に、上方向の合流空気流（ＦＡ又はＦＢ）を発生させることができる。
【００４０】
虫及び雑草の種子にとって、空気流によって逆らって移動することは困難である。このため、合流空気流は、虫又は雑草の種子が畝３の上方から畝３の上面３ａに飛来することを防止する。また、噴出口６ａから上方に噴出される空気流Ｆ６は、虫又は雑草の種子が畝３を横切るように水平方向に移動することを防止する。このため、本実施形態は、虫が作物に付着することや雑草の種子が畝３の上面３ａに落下することを防止できる。
【００４１】
本実施形態では、空気管６が、畝３の上面３ａの両端部にそれぞれ設けられている。このため、畝３上の作物９Ａが、幅方向ＤＷ３における両側において、空気流Ｆ６によって保護されている。このため、本実施形態は、畝３に植え付けられている作物９Ａを、より確実に保護できる。
【００４２】
本実施形態では、空気管６が、畝３の上面３ａの中央部に設けられている。このため、１列の空気管６を配置することによって、合流空気流ＦＢを発生させることができる。このため、本実施形態は、虫や雑草の種子を防止するためのコストを低減できる。
【００４３】
本実施形態では、空気を噴出するための噴出領域が、空気管（ガス管）６に形成された噴出口である。このため、本実施形態は、安価なコストで容易に空気を噴出するための構成を実現できる。
【００４４】
（変形例）
本実施形態は、次の変形構成を採用できる。
【００４５】
本実施形態は、更に、空気管６を回転不能に保持する姿勢保持具８を備えることができる。
【００４６】
図７は、空気管６の軸方向から見た、空気管６及び姿勢保持具８を示す図である。図７において、姿勢保持具８は、凹部８ａが形成された台形形状を有している。凹部８ａは、筒状体である空気管６の外面に合わせて、半円状に形成されている。空気管６は、例えば、合成樹脂等の弾性材料によって形成されている。このため、空気管６を凹部８ａ内に嵌め込むことによって、空気管６が姿勢保持具８に固定される。姿勢保持具８の底面８ｂは、前記台形形状における底辺である。姿勢保持具８は、底面８ｂが畝３の上面３ａに対向するように、畝３の上面３ａ上に置かれる。
【００４７】
図８は、空気管６及び姿勢保持具８の平面図である。複数の姿勢保持具８が、空気管６の長さ方向ＤＬ６に沿って、間隔を空けて配置されている。
【００４８】
上記構成により、姿勢保持具８は、空気管６を畝３の上面３ａに対して回転不能に保持する。このため、空気管６から噴出される空気流Ｆ６の向き（噴出軸６Ｍの向き）が安定する。この結果、畝３の上面３ａを覆う領域に、上方向の合流空気流ＦＡが安定的に発生する。このため、この変形例は、虫が作物に付着することや雑草の種子が畝３の上面３ａに落下することを、より確実に、防止できる。
【００４９】
上記構成の姿勢保持具８は、姿勢保持具８自体の姿勢を安定させるために、幅広の底面を有している。姿勢保持具８自体の姿勢を安定させる構成は、上記構成に限定されるものではなく、姿勢保持具８の底部に形成される埋設用の杭であってもよい。つまり、姿勢保持具８自体を畝３の上面３ａ内に埋め込むことによって、姿勢保持具８の姿勢が固定されるようにしても良い。
【００５０】
また、本実施形態は、制御装置７として、噴出口６ａから空気が間欠的に噴出されるようにコンプレッサー４の駆動を制御できる制御装置を採用できる。この場合、コンプレッサー４を常時駆動することなく、上述の効果が実現される。
【００５１】
このため、この変形例は、コンプレッサー（ガス供給源）４の駆動に必要なエネルギーを低減しながら、上述の効果を実現できる。
【００５２】
本実施形態は、更に、次の変形構成を採用できる。
【００５３】
本実施形態では、虫又は雑草の種子の飛来を防止するためのガスとして、空気が用いられている。空気に代えて、他のガスが用いられても良い。
【００５４】
本実施形態では、上方向に空気を噴出するための噴出領域として、空気管６に形成される噴出口６ａが用いられている。噴出領域を形成する対象物は、畝３の長さ方向ＤＬ６と並列に配置される空気管６に限定されるものではない。
【００５５】
本実施形態では、空気管６に形成される噴出口６ａの数は、複数である。複数の噴出口６ａを形成する構成に代えて、単一の噴出口が空気管に形成されても良い。この場合、空気管６に、例えば、空気管６の長さ方向ＤＬ３に沿って、スリット状の長溝が形成される。
【００５６】
空気管６（噴出領域）からガスが噴出される方向は、上方向成分を有していれば良く、鉛直方向に限定されない。図２及び図５における２条の作物９Ａが植え付けられている畝３の場合、畝３の上面３ａの両端部に配置される空気管６について、噴出軸６Ｍの方向は、畝３の中心に向かう水平方向成分を有していても良い。つまり、２つの空気管６より、畝３の中央部を囲むように、逆Ｖ字状に空気が噴出されても良い。
【００５７】
上述の変形例は、空気管６の姿勢を保持するために、姿勢保持具８を備えている。姿勢保持具８を用いる代わりに、空気管６を畝３の上面３ａ内に凹部を形成し、該凹部内に空気管６を保持させても良い。また、空気管６の素材として金属製など剛性の高い材料を採用した場合、空気管６の両端部を固定することによって、空気管６の姿勢を保持しても良い。
【００５８】
畝３に沿って配置される１列の空気管６は、一本の管状部材であってもよく、複数の管状部材を連結することによって構成される管であってもよい。
【００５９】
畝３に植え付けられる作物は、１条又は２条に限定されるものではなく、３以上の複数条の作物であってもよい。図２及び図５における２列の空気管６が用いられる畝３の場合、１又は複数条の作物の全体が、２列の空気管６の間に位置する。図３及び図６における１列の空気管６が用いられる畝３の場合、１列の空気管６は、複数条の作物のうち隣り合う２列の作物の間に配置される。
【符号の説明】
【００６０】
２、２Ａ、２Ｂ  畑
３  畝
３ａ  上面
４  コンプレッサー（ガス供給源）
５  伝達管
６  空気管（ガス管）
６ａ  噴出口（噴出領域）
７  制御装置
８  姿勢保持具
９Ａ、９Ｂ  作物
１０  有害物防止システム
ＤＬ３  畝の長さ方向
ＤＷ３  畝の幅方向
Ｆ６  （各空気管６が発生させる）空気流
ＦＡ、ＦＢ  （畝の上面を覆う領域に発生する上方向の）空気流
ＲＡ、ＲＢ  （畝の上面全体を覆う）領域
【図１】
2011250761.tif 000003
【図２】
2011250761.tif 000004
【図３】
2011250761.tif 000005
【図４】
2011250761.tif 000006
【図５】
2011250761.tif 000007
【図６】
2011250761.tif 000008
【図７】
2011250761.tif 000009
【図８】
2011250761.tif 000010